(57)【要約】【課題】施工管理を簡略化でき、部材管理および部材加工管理をも簡略化する。【解決手段】ケラバ用葺き替え金具１１，１２はそれぞれ、ケラバ葺き始め側Ｅとケラバ葺き終わり側Ｆのフレーム斜辺とフレーム水平辺に沿って下部側が固定され、上部側の上面部が平面である本体部材３と、本体部材３の上面部上に、葺き始め位置と葺き終わり位置とに応じて、フレーム斜辺に対する取り付け方向を左右異ならせて取り付けた段差部材４と、段差部材４上に取り付けられ、折板の端辺部をフック部６４に巻き込んで取り付ける吊子部材６とを有している。【選択図】図１
2016023464.tif 000002
【特許請求の範囲】
【請求項１】
フレームの端部に被覆材を取り付けるために用いられる被覆用具であって、
該被覆用具は、
該フレームの端部に取り付けられる本体部材と、
該本体部材に取り付けられる段差部材であって、段差を有する段差部材と、
該段差部材に取り付けられる被覆材固定部材であって、該被覆材を固定する被覆材固定部材と
を備え、
該本体部材および該段差部材は、該本体部材に対する該段差の向きを変えて該段差部材が該本体部材に取り付けることができるように構成されている、被覆用具。
【請求項２】
前記本体部材および前記段差部材は、該本体部材に対する該段差の向きが、該本体部材が前記フレームのいずれの端部に取り付けられるかに依存するように構成されている、請求項１に記載の被覆用具。
【請求項３】
前記被覆材固定部材は、前記本体部材の上面部に取り付けられ、
該上面部は線対称の面構造である、請求項１または２に記載の被覆用具。
【請求項４】
前記段差部材は断熱材である、請求項１〜３のいずれかに記載の被覆用具。
【請求項５】
前記被覆材固定部材は吊子部材である、請求項１〜４のいずれかに記載の被覆用具。
【発明の詳細な説明】
【技術分野】
【０００１】
本発明は、フレームの端部に被覆材を取り付けるために用いられる被覆用具、例えばハゼ式折板の二重屋根のケラバ側での葺き替えに用いられるケラバ用金具に関する。
【背景技術】
【０００２】
近年、ハゼ式折板の二重屋根構造は、工場、倉庫、家屋などの建物に広く普及している。このハゼ式折板の二重屋根構造の葺き替え金具について、図８〜図１２を参照しながら説明する。
【０００３】
図８（ａ）は、家屋を模式的に示す正面図であり、図８（ｂ）は、図８（ａ）の家屋の側面図であり、図８（ｃ）は、図８（ｂ）の家屋の屋根を矢印方向Ａから見たときの屋根の平面図である。
【０００４】
図８（ａ）〜図８（ｃ）に示すように、一般的に、家屋の屋根は、棟Ｂおよび軒先Ｃ以外の家屋側面の屋根の両端部をケラバと呼んでいる。屋根は、ケラバ葺き始め側Ｅから中間部分を介してケラバ葺き終わり側Ｆまで葺き方向Ｄに順に葺くことにより出来上がる。
【０００５】
図９は、ハゼ式折板の二重屋根構造に用いる従来のケラバ用葺き替え金具および中間部分用葺き替え金具を概略的に示す模式図である。
【０００６】
図９において、ケラバ葺き始め側Ｅにおいて、ケラバ用葺き替え金具１０１は、逆コ字状の第１金具１０３と、これと背中合わせに固定されたコ字状でその下端辺１０４ａから斜め方向に延在した第２金具１０４と、第２金具１０４の上面１０４ｃ上に固定されたＬ字状の吊子部材１０６とを有している。
【０００７】
第１金具１０３は、屋根上のフレーム一方端部のケラバ用の段付き妻フレーム１０２の頂面１０２ａ上に固定部材（図示せず）で固定される。
【０００８】
第２金具１０４は、ケラバ用の段付き妻フレーム１０２の頂面１０２ａから左側に段落ちした段差平面１０２ｂ上およびその端から傾斜した傾斜面１０２ｃ上に搭載されて、傾斜部１０４ｂが傾斜面１０２ｃ上に固定部材（図示せず）で固定される。このとき、二重屋根構造の下屋根はこれらの傾斜部１０４ｂと傾斜面１０２ｃの間に挟まれて固定部材（図示せず）により固定されている。第１金具１０３と第２金具１０４は、第２金具１０４のコ字状下部のＬ字部が、段差平面１０２ｂおよび段差直面１０２ｄで支持された状態で、第１金具１０３と第２金具１０４の背面同士を合わせて固定部材１０５で固定される。このとき、第１金具１０３の上面１０３ａが第２金具１０４の上面１０４ｃよりも所定高さだけ高くなるように構成されている。
【０００９】
吊子部材１０６の断面Ｌ字状の外面が、第２金具１０４の上面１０４ｃから第１金具１０３の上面１０３ａに至るＬ字面で支持される。この状態で、吊子部材１０６は、Ｌ字の固定面部１０６ａが上面１０４ｃと固定金具１０７により固定される。吊子部材１０６は、上面１０４ｃ上の固定面部１０６ａを左側に配置し、固定面部１０６ａから立設面部１０６ｂを介して上屋根の端部（図示せず）を巻き込んで固定するフック部１０６ｃを右側に配設している。フック部１０６ｃは第１金具１０３の上面１０３ａの上方に位置している。
【００１０】
次に、ケラバ葺き終わり側Ｆにおいて、ケラバ用葺き替え金具２０１は、コ字状の第３金具２０３と、これと背中合わせに固定された逆コ字状でその下端辺２０４ａから斜め方向に延在した第４金具２０４と、第３金具２０３の上面２０３ａ上に固定されたＬ字状の吊子部材１０６とを有している。
【００１１】
第３金具２０３は、屋根上のフレーム他方端部のケラバ用の段付き妻フレーム２０２の頂面２０２ａ上に固定部材（図示せず）で固定される。
【００１２】
第４金具２０４は、ケラバ用の段付き妻フレーム２０２の頂面２０２ａから右側に段落ちした段差平面２０２ｂ上およびその端から傾斜した傾斜面２０２ｃ上に搭載されて、傾斜部２０４ｂが傾斜平面２０２ｃ上に固定部材（図示せず）で固定される。このとき、二重屋根構造の下屋根はこれらの傾斜面２０２ｃと傾斜部２０４ｂの間に挟まれて固定部材（図示せず）により固定されている。第３金具２０３と第４金具２０４は、第４金具２０４のコ字状下部のＬ字部が、段差平面２０２ｂおよび段差直面２０２ｄで支持された状態で、第３金具２０３と第４金具２０４の背面同士を合わせて固定部材１０５で固定される。このとき、第３金具２０３の上面２０３ａが第４金具２０４の上面２０４ｃよりも所定高さだけ低くなるように構成されている。
【００１３】
吊子部材１０６の断面Ｌ字状の外面が、第３金具２０３の上面２０３ａから第４金具２０４の上面２０４ｃに至るＬ字面で支持される。この状態で、吊子部材１０６は、Ｌ字の固定面部１０６ａが上面２０３ａと固定金具１０７により固定される。吊子部材１０６は、上面２０３ａ上の固定面部１０６ａを左側に配置し、固定面部１０６ａから立設面部１０６ｂを介して、上屋根の端部（図示せず）を巻き込んで固定するフック部１０６ｃを右側に配設している。フック部１０６ｃは第４金具２０４の上面２０４ｃの上方に位置している。
【００１４】
ケラバ側の段付き妻フレーム１０２，２０２上に、第１金具１０３と第２金具１０４、および第３金具２０３と第４金具２０４の各２種類で合計４種類の金具を組み合わせて別々の形状のケラバ用葺き替え金具１０１、２０１として取り付けている。
【００１５】
さらに、中間部分用葺き替え金具３０１は、フレーム中間部分の段付きタイトフレーム３０２の頂面３０２ａ上に搭載され、段付きタイトフレーム３０２の段差平面３０２ｂから段差直面３０２ｄで外面が支持されたＬ字状の吊子部材３０５の立ち上がり部３０５ａを挟み込んだ状態で固定部材（図示せず）により固定される。中間部分用葺き替え金具３０１上にも上屋根の連結用の吊子部材１０６が搭載されている。
【００１６】
次に、室内環境、特に暖冷房費の削減の観点から、断熱効果を有した従来のケラバ用葺き替え断熱金具について説明する。
【００１７】
図１０（ａ）は、ケラバ葺き終わり側Ｆのケラバ用葺き替え断熱金具に用いられる金具の具体例を示す正面図であり、図１０（ｂ）は、ケラバ葺き始め側Ｅのケラバ用葺き替え断熱金具に用いられる金具の具体例を示す正面図である。
【００１８】
図１０（ａ）において、ケラバ葺き終わり側Ｆにおけるケラバ用葺き替え断熱金具の第３金具５０３と第４金具５０４の具体例を示し、図１０（ｂ）において、ケラバ葺き始め側Ｅにおけるケラバ用葺き替え断熱金具の第１金具４０３と第２金具４０４の具体例を示している。第１金具４０３と第２金具４０４間およびその上に断熱部材（図示せず）が設けられる。また同様に、第３金具５０３と第４金具５０４間およびその上に断熱部材（図示せず）が設けられる。
【００１９】
図１１（ａ）は、ハゼ式折板の二重屋根構造のケラバ葺き始め側Ｅに用いる従来のケラバ用葺き替え断熱金具を示す正面図であり、図１１（ｂ）は、図１１（ａ）の従来のケラバ用葺き替え断熱金具の上面図であり、図１１（ｃ）は、図１１（ａ）の従来のケラバ用葺き替え断熱金具の左側面図である。
【００２０】
図１１（ａ）〜図１１（ｃ）に示すように、屋根のケラバ葺き始め側Ｅにおいて、ケラバ用葺き替え金具４０１は、第１金具４０３と、第２金具４０４と、断熱段差部材４０７と、Ｌ字状の吊子部材４０６とを有している。
【００２１】
断熱段差部材４０７は、その凹部内に第１金具４０３と第２金具４０４が両側から嵌挿される。断熱段差部材４０７は第１金具４０３と第２金具４０４により挟まれて、固定部材４０５により固定される。断熱段差部材４０７の上面は、第１金具４０３と第２金具４０４の各上面の段差上に設けられて所定の段差を有している。
【００２２】
図１２は、フレーム左右端部の段付き妻フレーム上への従来のケラバ用葺き替え断熱金具の取り付け状態を示す断熱金具取付図である。
【００２３】
図１２に示すように、ケラバ用葺き替え断熱金具４０１は本体部材４０１Ａと吊子部材４０６とを有する。
【００２４】
本体部材４０１Ａは、フレーム右端部の段付き妻フレーム４００上に、左側のフレーム斜辺４００ａと右側のフレーム水平辺４００ｂに沿って下部（傾斜部４０４ｂと横方向部４０３ａ）が固定部材（図示せず）により固定されている。本体部材４０１Ａは、その上部が断熱段差部材４０７を第１金具４０３と第２金具４０４で挟み込んで固定部材４０５で固定されている。この断熱段差部材４０７の上面には段差が設けられている。
【００２５】
ケラバ用葺き替え断熱金具５０１は本体部材５０１Ａと吊子部材４０６とを有する。
【００２６】
本体部材５０１Ａは、フレーム左端部の段付き妻フレーム５００上に、右側のフレーム斜辺５００ａと左側のフレーム水平辺５００ｂに沿って下部（傾斜部５０４ｂと横方向部５０３ａ）が固定されている。本体部材５０１Ａは、その上部が断熱段差部材４０７を第３金具５０３と第４金具５０４で挟み込んで固定部材４０５で固定部材（図示せず）により固定されている。この断熱段差部材４０７の上面にも段差が設けられている。
【００２７】
上屋根４１０は、吊子部材４０６により屋根の端辺部をそのフック部４０６ａ内に巻き込んで固定されている。また、下屋根５１０は、その端部が段付き妻フレーム４００，５００の段差部内まで引き込まれて固定されている。この下屋根５１０と上屋根４１０の間は、空気層であるか断熱材が収容されて二重屋根構造になっている。この二重屋根構造によって、暖冷房費が大幅に削減される。
【００２８】
図１２のような従来のケラバ用葺き替え断熱金具を用いてハゼ式折板の二重屋根構造に葺き替える技術は例えば特許文献１に開示されている。
【先行技術文献】
【特許文献】
【００２９】
【特許文献１】特開２００４−２０４４５６号公報
【発明の概要】
【発明が解決しようとする課題】
【００３０】
特許文献１を含む上記従来の構成では、屋根の両端部のケラバ葺き始め側Ｅとケラバ葺き終わり側Ｆで別々の形状の例えばケラバ用葺き替え金具１０１，２０１を使用せざるを得なかったという問題があった。
【００３１】
つまり、ケラバ葺き始め側Ｅから中間部分を介してケラバ葺き終わり側Ｆに順に上屋根を葺き替えることから、従来のケラバ用葺き替え金具本体上のＬ字状の吊子部材は同じ向きに配置される。しかも、同じケラバであっても、ケラバ葺き始め側Ｅとケラバ葺き終わり側Ｆで、従来のケラバ用葺替金具本体を搭載する段付き妻フレームの傾斜方向が左右逆方向になる。このため、ケラバ用葺き替え金具の形状をケラバ葺き始め側Ｅとケラバ葺き終わり側Ｆで変える必要があった。
【００３２】
このような別々の形状のケラバ用葺き替え金具では、互いに非常によく似ていることから、施工時のケラバ用葺き替え金具の左右向きの部材管理が煩雑である。例えば、ケラバ側の段付き妻フレーム上に各２種類の金具（図９の場合では第１金具１０３と第２金具１０４、および第３金具２０３と第４金具２０４）を組み合わせて本体金具として取り付けた後にその金具の組み合わせに間違いが判明した場合には、それらを組み合わせた金具をケラバ側の段付き妻フレーム上から再び取り外すと共に、互いに組み合わせた金具同士も単体の金具に取り外す必要が生じて、非常に煩雑であり施工工数的にも効率が悪過ぎるものであった。
【００３３】
本発明は、上記従来の問題を解決するもので、施工管理を簡略化でき、部材管理および部材加工管理をも簡略化することができる被覆用具および被覆用具としてのケラバ用金具を提供することを目的とする。
【課題を解決するための手段】
【００３４】
本発明の被覆用具は、フレームの端部に被覆材を取り付けるために用いられる被覆用具であって、該被覆用具は、該フレームの端部に取り付けられる本体部材と、該本体部材に取り付けられる段差部材であって、段差を有する段差部材と、該段差部材に取り付けられる被覆材固定部材であって、該被覆材を固定する被覆材固定部材とを備え、該本体部材および該段差部材は、該本体部材に対する該段差の向きを変えて該段差部材が該本体部材に取り付けることができるように構成されているものであり、そのことにより上記目的が達成される。
【００３５】
また、好ましくは、本発明の被覆用具において、前記本体部材および前記段差部材は、該本体部材に対する該段差の向きが、該本体部材が前記フレームのいずれの端部に取り付けられるかに依存するように構成されている。
【００３６】
さらに、好ましくは、本発明の被覆用具における被覆材固定部材は吊子部材である被覆材固定部材は、前記本体部材の上面部に取り付けられ、該上面部は線対称の面構造である。
【００３７】
さらに、好ましくは、本発明の被覆用具における段差部材は断熱材である。
【００３８】
さらに、好ましくは、本発明の被覆用具における被覆材固定部材は吊子部材である。
【００３９】
さらに、好ましくは、本発明の被覆用具において、前記本体部材および前記段差部材は互いの回り止めの構成を有している。
【００４０】
さらに、好ましくは、本発明の被覆用具において、前記本体部材、前記段差部材および前記被覆材固定部材の材料はそれぞれ、断熱材、樹脂材料、セラミック材料および金属材料から選択される。
【００４１】
本発明のケラバ用金具は、本発明の上記被覆用金具における前記被覆材固定部材は、前記被覆材の端辺部をフック部に巻き込んで取り付ける吊子部材であり、そのことにより上記目的が達成される。
【００４２】
上記構成により、以下、本発明の作用を説明する。
【００４３】
本発明においては、フレームの端部に被覆材を取り付けるために用いられる被覆用具であって、被覆用具は、フレームの端部に取り付けられる本体部材と、本体部材に取り付けられる段差部材であって、段差を有する段差部材と、段差部材に取り付けられる被覆材固定部材であって、被覆材を固定する被覆材固定部材とを備え、本体部材および段差部材は、本体部材に対する段差の向きを変えて段差部材が本体部材に取り付けることができるように構成されている。
【００４４】
これによって、本体部材および段差部材は、本体部材に対する段差の向きを変えて段差部材を本体部材に取り付けることができることにより、同一部材で両端部側に対応することが可能となって、施工管理を簡略化され、部材管理および部材加工管理をも簡略化される。
【発明の効果】
【００４５】
以上により、本発明によれば、本体部材および段差部材は、本体部材に対する段差の向きを変えて段差部材を本体部材に取り付けることができるため、同一部材で両端部側に対応することができて、施工管理を簡略化でき、部材管理および部材加工管理をも簡略化することができる。
【図面の簡単な説明】
【００４６】
【図１】本発明の実施形態１におけるケラバ用葺き替え断熱金具を含む要部構成例を軒先側から見た断面構造を示す模式図である。
【図２】（ａ）は、図１の本体部材および段差部材の組立体を示す正面図であり、（ｂ）は、（ａ）の組立体の左側面図である。
【図３】フレーム左右両端部の段付き妻フレーム上への図２の組立体の取り付け状態を示す組立体取り付け図である。
【図４】（ａ）は図１〜図３の段差部材の平面図であり、（ｂ）は（ａ）の段差部材の正面図であり、（ｃ）は（ａ）の段差部材の右側面図である。
【図５】（ａ）は図１〜図３の吊子部材の側面図であり、（ｂ）は（ａ）の吊子部材の平面図であり、（ｃ）は（ａ）の吊子部材を右側から見た背面図である。
【図６】本発明の実施形態２として回り止め用の本体部材の上面部構造を図３に適用した組立体取り付け図である。
【図７】（ａ）は図６の回り止め用の本体部材の上面部構造の他の事例を示す組立体取付図であり、（ｂ）は図６の回り止め用の本体部材の上面部構造および段差部材の更に他の事例を示す組立体取り付け図である。
【図８】（ａ）は、家屋を模式的に示す正面図であり、（ｂ）は、（ａ）の家屋の側面図であり、（ｃ）は、（ｂ）の家屋の屋根を矢印方向Ａから見たときの屋根の平面図である。
【図９】ハゼ式折板の二重屋根構造に用いる従来のケラバ用葺き替え金具および中間部分用葺き替え金具を概略的に示す模式図である。
【図１０】（ａ）は、ケラバ葺き終わり側Ｆのケラバ用葺き替え断熱金具に用いられる金具の具体例を示す正面図であり、（ｂ）は、ケラバ葺き始め側Ｅのケラバ用葺き替え断熱金具に用いられる金具の具体例を示す正面図である。
【図１１】（ａ）は、ハゼ式折板の二重屋根構造のケラバ葺き始め側Ｅに用いる従来のケラバ用葺き替え断熱金具を示す正面図であり、（ｂ）は、（ａ）の従来のケラバ用葺き替え断熱金具の上面図であり、（ｃ）は、（ａ）の従来のケラバ用葺き替え断熱金具の左側面図である。
【図１２】フレーム左右端部の段付き妻フレーム上への従来のケラバ用葺き替え断熱金具の取り付け状態を示す断熱金具取付図である。
【発明を実施するための形態】
【００４７】
以下に、本発明の被覆用具や被覆用金具をケラバ用金具やケラバ用断熱金具に適用した場合の実施形態１、２について図面を参照しながら詳細に説明する。なお、各図における構成部材のそれぞれの厚みや長さなどは図面作成上の観点から、図示する構成に限定されるものではない。また、本発明の被覆用具や被覆用金具をケラバ用金具やケラバ用断熱金具に適用した実施形態１、２は、本願請求項に示した範囲で種々の変更が可能である。即ち、本願請求項に示した範囲で適宜変更した技術的手段を更に組み合わせて得られる実施形態についても本発明の技術的範囲に含まれる。
【００４８】
（実施形態１）
図１は、本発明の実施形態１におけるケラバ用葺き替え断熱金具を含む要部構成例を軒先側から見た断面構造を示す模式図である。
【００４９】
図１に示すように、本実施形態１のケラバ用断熱金具としてのケラバ用葺き替え断熱金具１１，１２は、フレーム両端部としてのケラバ葺き始め側Ｅとケラバ葺き終わり側Ｆの段付き妻フレーム２１，２２上に取り付けられる下部（傾斜部３２ａと横方向部３１ａ）が左右非対称である本体部材３と、本体部材３の上面部（例えば平面）に、裏面が例えば平面で上面段差方向が左右両方向のいずれにも取り付けられる段差部材４と、段差部材４上に取り付けられて被覆材としての上屋根５ａの折板の一方端部または他方端部を固定する被覆材固定部材としてのＬ字状の吊子部材６とを有している。
【００５０】
本体部材３の下部が段付き妻フレーム２１，２２の形状（フレーム全体の中心軸に対して左右対称で、鏡像の関係にある）に対応していることと、その本体部材３の上面部に段差部材４を左右両方向のいずれにも取り付けることができることにより、同一部材（本体部材３と段差部材４共に同一部材）でケラバ葺き始め側Ｅとケラバ葺き終わり側Ｆの両側に対応するように構成している。同一部材の本体部材３および段差部材４を、ケラバ葺き始め側Ｅとケラバ葺き終わり側Ｆに応じて本体部材３は逆向きに段差部材４は同じ向きになるように組み合わせる。このように、同一の二つの部材（本体部材３と段差部材４）をリバーシブル（取付方向が逆）に組み合わせることによって、両端部の位置で別々の形状のケラバ用葺き替え金具１１，１２を組み立てることができる。
【００５１】
中間部分Ｇの葺き替え断熱金具７は、ケラバ葺き始め側Ｅとケラバ葺き終わり側Ｆの間のフレーム中間部分用の段付きタイトフレーム８上に搭載され、段付きタイトフレーム８上の下屋根取付用のＬ字状の吊子部材６を両側から挟み込んだ状態で固定部材（図示しない）により固定される。この葺き替え金具７上にも別のＬ字状の吊子部材６が取り付けられており、この吊子部材６により上屋根５ａの左右の両端部を連結している。
【００５２】
この上屋根５ａと下屋根５ｂの間は空気層が介在するか断熱材が収容されて二重折板屋根の断熱構造が形成されている。この二重屋根内の空気層や断熱材と樹脂製の段差部材４による断熱効果によって暖冷房費を大幅に削減することができる。
【００５３】
下屋根５ｂは、フレーム両端部の段付き妻フレーム２１，２２のフレーム斜辺２１ａまたは２２ａ上への本体部材３の傾斜部３２ａの固定時にそれぞれ、その下屋根５ｂの端部がそれぞれ段付き妻フレーム２１または２２の段差部２１ｂまたは２２ｂ上まで引き込まれた状態で、フレーム一方端部の段付き妻フレーム２１のフレーム斜辺２１ａと本体部材３の傾斜部３２ａとの間に挟まれて固定されると共に、他方端部の段付き妻フレーム２２のフレーム斜辺２２ａと本体部材３の傾斜部３２ａとの間に挟まれて固定される。
【００５４】
以下に、上記ケラバ用葺き替え断熱金具１１，１２の各構成部材についてさらに詳細に説明する。
【００５５】
図２（ａ）は、図１の本体部材３および段差部材４の組立体を示す正面図であり、図２（ｂ）は、図２（ａ）の組立体の左側面図である。
【００５６】
図２（ａ）および図２（ｂ）に示すように、本体部材３は、所定幅の帯材がコ字状に折り曲げられた例えば金属製の第１部材３１と、所定幅の帯材が逆コ字状に折り曲げられ、逆コ字状の下端部にフレーム斜面２１ａに沿う傾斜部３２ａが連接された、例えば金属製の第２部材３２とを有している。第１部材３１と第２部材３２はコ字状と逆コ字状の中間部分同士が背中合わせの状態で固定部材３３（例えばボルトとナット）で固定されている。本体部材３は、第１部材３１の上面と第２部材３２の上面とが面一の状態に構成されている。これらの第１部材３１および第２部材３２の各上面の中央部分にはそれぞれ、段差部材４を取り付けるための取付孔に上向きに固定部材３４（例えば溶接ボルト）が取り付けられている。
【００５７】
図３は、フレーム左右端部の段付き妻フレーム２１、２２上への図２の組立体の取り付け状態を示す組立体取付図である。
【００５８】
図３において、ケラバ葺き始め側Ｅの本体部材３は、図示しない固定部材（例えばタッピングねじ）により、その下部を構成する傾斜部３２ａおよび横方向部３１ａの各取付孔３５を通してフレーム斜辺２１ａとフレーム水平辺２１ｂにそれぞれ締め付けて固定する。また同様に、ケラバ葺き終わり側Ｆの本体部材３は、図示しない固定部材（例えばタッピングねじ）により、その下部を構成する傾斜部３２ａおよび横方向部３１ａの各取付孔３５を通してフレーム斜辺２２ａとフレーム水平辺２２ｂにそれぞれ締め付けて固定する。ケラバ葺き始め側Ｅとケラバ葺き終わり側Ｆにおける本体部材３の下部はそれぞれ、傾斜部３２ａと横方向部３１ａの配置が互いに左右逆であるため左右非対称となる。この本体部材３の上部（二つの横部材３６）の各上面部はそれぞれ例えば平面である。
【００５９】
ケラバ葺き始め側Ｅの本体部材３と、ケラバ葺き終わり側Ｆの本体部材３は、同一部材であって、左右の取付方向が逆であるだけである。それに対して、段差部材４の向きはケラバ葺き始め側Ｅとケラバ葺き終わり側Ｆで同一方向である。
【００６０】
これによって、ケラバ葺き始め側Ｅとケラバ葺き終わり側Ｆの段付き妻フレーム２１、２２上に、互いに異なる組立体を、同一部品の本体部材３と段差部材４により組み立てることができる。
【００６１】
図４（ａ）は図１〜図３の段差部材４の平面図であり、図４（ｂ）は図４（ａ）の段差部材４の正面図であり、図４（ｃ）は図４（ａ）の段差部材４の右側面図である。
【００６２】
図４（ａ）〜図４（ｃ）に示すように、段差部材４は、平面視４角形領域の縦方向の中心線を境にして薄い平面側の第１領域４１と厚い側の第２領域４２（ここでは全体領域の面積的に半々）を有する。第１領域４１と第２領域４２との間に段差面４３が設けられ、第１領域４１の平面４１ｃと段差面４３により断面Ｌ字状の支持面が構成されている。この段差面４３の直立位置は、段差部材４を、図４（ｃ）において左右両方向のいずれに取付方向を変えても変化しない位置である。第１領域４１と第２領域４２に設けられる取付孔４１ａ、４２ａは、段差面４３の直立位置を線中心として振り分けた位置（線対称位置）で幅方向中心位置に形成されている。
【００６３】
第２領域４２の取付孔４２ａの周囲を、段差面４３の直立位置から所定幅領域４２ｂを中間部に含む平面視コ字状に残して薄い平面４１ｃの第１領域４１と同じ厚さの平面４２ｃに形成する。取付孔４２ａの固定面の周囲を高くしてナットなどの固定部材（図示せず）を取付孔４２ａの固定面の周囲に収容し得る空間を有している。この平面視コ字状に厚い平面領域（所定幅領域４２ｂを中間部に含む平面視コ字状領域）により、上屋根５ａが重みで下がらないように平面視コ字状領域で下から受けて支持する。なお、ここでは、平面視コ字状に厚い平面領域（所定幅領域４２ｂを中間部に含む平面視コ字状領域）を残したが、これに限らず、第２領域４２のうち平面視外周４角形の少なくとも１辺（所定幅領域４２ｂを含む１辺）だけを残してもよい。
【００６４】
また、段差部材４の幅は、本体部材３の帯幅よりも若干広く形成されている。段差部材４の裏面は、本体部材３の帯状部分をその幅方向に嵌合するように、幅方向に対向する辺を各所定幅端部４４として残して幅広の溝４５が形成される。この幅広の溝４５内に本体部材３の上面部が嵌合して、本体部材３の上面部上に段差部材４を取り付ける際に、段差部材４の幅方向両側の所定幅端部４４を本体部材３に対する段差部材４の回り止めにすることができる。
【００６５】
段差部材４は例えば断熱用のために樹脂製である。この場合、その材質がポリアセタール、ＡＢＳ樹脂およびポリプロピレンなどのうちのいずれかの樹脂材料で構成されていてもよい。この樹脂材料に更なる耐熱のためにガラス繊維などを混合してもよい。樹脂製の段差部材４は、板材などのブロック材から形状加工してもよいが、射出成型によって樹脂製の段差部材４を所定形状に成型してもよい。
【００６６】
図５（ａ）は図１〜図３の吊子部材６の側面図であり、図５（ｂ）は図５（ａ）の吊子部材６の平面図であり、図５（ｃ）は図５（ａ）の吊子部材６を右側から見た背面図である。
【００６７】
図５（ａ）〜図５（ｃ）に示すように、本実施形態１のケラバ用葺き替え断熱金具１１，１２に共通金具として用いられる被覆材固定部材としての吊子部材６は、段差部材４上の取付面６１の中央位置に前後方向（図５（ａ）では左右方向）に長い長孔６２が形成されている。一方、段差部材４は、第１領域４１の平面４１ｃと段差面４３により断面Ｌ字状の支持面が構成されているが、固定部材（図示せず）の先端を長孔６２に通して、その直立した段差面４３に吊子部材６の垂直面６３を押し付けた状態で段差部材４上に吊子部材６を固定部材（図示せず）により固定する。このようにして、吊子部材６が段差部材４上に段差面４３により支持されて取り付けられ、折板の上屋根５ａの端辺部を長手方向のフック部６４内に巻き込んで取り付けている。
【００６８】
吊子部材６は、その取付面６１の長手方向両側に連接する立設面上端から外側（横方向）に折り曲げられて取付面６１の両側に支持面６５をそれぞれ形成している。取付面６１とその両側の支持面６５により長孔６２の取付面６１が囲まれたその内側にナットやボルトの先端などの固定部材（図示せず）を収容し得る空間を有している。この両側の支持面６５により、上屋根５ａが重みで下がらないように下から受けて支持している。
【００６９】
二重屋根への葺き替えは、ケラバ葺き始め側Ｅから中間部分Ｇを介してケラバ葺き終わり側Ｆに一方向に順に行うため、Ｌ字状の吊子部材６は同じ向きに段差部材４上に配置される。ここでは、前述したように、断面Ｌ字の底面固定部（長孔６２の取付面６１）を右側に配置し、立設した垂直面６３を介して屋根板固定用のフック部６４を左側に配設している。
【００７０】
以上により、本実施形態１によれば、ケラバ用葺き替え金具１１，１２はそれぞれ、フレーム両端部におけるケラバ葺き始め側Ｅのフレーム水平辺からフレーム斜辺、ケラバ葺き終わり側Ｆのフレーム斜辺からフレーム水平辺に沿って本体部材３の下部側が固定され、本体部材３の上部側の上面部が例えば平面である本体部材３と、本体部材３の上面部上に、葺き始め位置と葺き終わり位置とに応じて、フレーム斜辺に対する取り付け方向を左右異ならせて取り付けた段差部材４と、段差部材４上に取り付けられ、折板の端辺部をフック部６４に巻き込んで取り付ける吊子部材６とを有している。
【００７１】
これによって、本体部材３の下部がフレーム両端の段付き妻フレーム２１，２２の左右対称形状に対応して取り付けられることと、その本体部材３の上面部に段差部材４の上面段差方向が左右両方向のいずれにも段差部材４が取り付けられるため、同一部材で両端部側に対応することができて、施工管理を簡略化でき、部材管理および部材加工管理をも簡略化することができる。
【００７２】
なお、本実施形態１では、段差部材４は、ここでは断熱用に樹脂製としたが、これに限らず、金属製であってもよい。金属製の段差部材４を用いた場合には、断熱性が失われるため、ケラバ用葺き替え断熱金具１１，１２はケラバ用葺き替え金具となる。
【００７３】
なお、本実施形態１では、本体部材３の上部（第１部材３１と第２部材３２の二つの横部材３６）の各上面部は平面で構成したが、これに限らず、本体部材３の上面部に段差部材４がその上面段差方向が左右両方向のいずれにも取り付けられればよい。そのためには、本体部材３の上面部が線対称面構造で、これに対応する段差部材４の裏面も線対称面構造であればよい。
【００７４】
なお、本実施形態１では、本体部材３の上面部上に段差部材４を取り付ける際に、段差部材４の裏面幅方向両側から突出した各所定幅端部４４が本体部材３の上面部を幅方向両側面を挟み込んで本体部材３に対する段差部材４の回り止めとして作業効率を上げることができたが、これに限らず、所定幅端部４４の代わりにまたは、所定幅端部４４と共に、本体部材３の上面部側に、段差部材４の側面を両側から挟み込んで本体部材３を回り止め用の上面部構造としてもよい。この本体部材３の上面部構造について次の実施形態２にその一例を説明する。この場合にも、前述したように、本体部材３の上面部が線対称面構造で、これに対応するように段差部材４の裏面も線対称面構造である必要がある。
【００７５】
（実施形態２）
図６は、本発明の実施形態２として回り止め用の本体部材３の上面部構造を図３に適用した組立体取り付け図である。図６では、図３の構成部材と同様の作用効果を奏する構成部材には同一の符号を付してその説明を省略する。
【００７６】
図６に示すように、上記実施形態１の図３の構成と異なるのは、本体部材３Ａとその上の段差部材４Ａである。以下、詳細に説明する。
【００７７】
その本体部材３Ａの上部（二つの横部材３６Ａ）の各上面部に、裏面が平面の段差部材４Ａの回り止め用に側面規制部３７が設けられている。側面規制部３７は、段差部材４Ａの前後方向の両側面の一部または全部をそれぞれ覆うように、二つの横部材３６Ａの左右方向に直交する前後方向の断面が上に開放したコ字状に形成されている。側面規制部３７の高さは段差部材４Ａの側面の高さと同じかまたはその側面の高さよりも低く設定される。この場合にも、前述したように、本体部材３Ａへの段差部材４Ａの取付方向を左右逆にするために、本体部材３Ａの上面部が線対称面構造（例えば平面）で、これに対応するように段差部材４Ａの裏面も線対称面構造（例えば平面）である。
【００７８】
本体部材３Ａは、第１部材３１Ａの上面と第２部材３２Ａの上面とが面一で各上面の幅方向両端から回り止め用の側面規制部３７が立ち上がった状態で側面規制部３７（４か所）が本体部材３Ａの平面部上面を取り囲んでいる。
【００７９】
段差部材４Ａの裏面は、上記実施形態１の段差部材４の裏面とは異なり、平面である。また、第２部材３２Ａの下部形状は、上記実施形態１の第２部材３２とは異なり、段付き妻フレーム２１、２２の段差平面２１ｃ、２２ｃ上に搭載されている。  
【００８０】
以上により、本実施形態２によれば、本体部材３Ａの下部がフレーム両端部の段付き妻フレーム２１，２２の左右対称形状に対応して取り付けられることと、その本体部材３Ａの上面部に段差部材４Ａの上面段差方向が左右両方向のいずれにも、供回りを確実に抑えて作業効率よく取り付けることができるため、本体部材３Ａおよび段差部材４Ａが同一部材で、それらの組立体として両端部側（ケラバ側）により容易に対応することができて、施工管理を簡略化できて、部材管理および部材加工管理をも簡略化することができる。
【００８１】
なお、本実施形態２では、側面規制部３７は、本体部材３Ａの平面部（二つの横部材３６Ａ）の両側が前後方向コ字状断面になっている回り止め構造について説明したが、これに限らず、この側面規制部３７と共にまたは、図７（ａ）に示すように側面規制部３７の代わりに、回り止め構造として、前後方向に直交する左右方向の両先端が所定長さだけ直角または鋭角に折り曲げられた各側面規制部３８が設けられてもよい。この側面規制部３８の高さは段差部材４Ａの左右方向の側面高さと同じかまたはその側面の高さよりも低く設定される。
【００８２】
この場合にも、前述したように、本体部材３Ｂに対して段差部材４Ａの取付方向を左右逆にするために、本体部材３Ｂの上面部が線対称面構造（ここでは平面）で、これに対応するように段差部材４Ａの裏面も線対称面構造（ここでは平面）である。
【００８３】
また、別の事例について説明すると、図７（ｂ）に示すように、本体部材３Ｃの上面部（二つの横部材３６Ｃ）は、長手方向（左右方向）の中央部が幅方向（前後方向）に所定高さだけ段落ち（中央段差部）している。要するに、本体部材３Ｃの上面部は、二つの横部材３６Ｃが両側横方向に曲がった後に所定の段差が形成されて両方で幅方向凹部３９が形成されている。この幅方向凹部３９内に嵌合する幅方向凸部４４Ｃが段差部材４Ｃの裏面中央に設けられている。本体部材３Ｃの上面部の中央の幅方向凹部３９と、これに嵌合する段差部材４Ｃの裏面中央の幅方向凸部４４Ｃ（凸部は幅方向全部または一部）によって組立時の本体部材３Ｃに対する段差部材４Ｃの回り止めとすることができる。
【００８４】
この場合にも、前述したように、本体部材３Ｃに対する段差部材４Ｃの取付方向を左右逆にするために、本体部材３Ｃの幅方向凹部３９を中央に含む上面部が線対称面構造（ここでは段差平面）で、これに対応するように段差部材４Ｃの裏面も中央の幅方向凸部４４Ｃを含む線対称面構造（ここでは段差平面）である。
【００８５】
なお、上記実施形態１，２では、屋根のケラバ用葺き替え金具またはケラバ用葺き替え断熱金具について詳細に説明したが、屋根（被覆材）の被覆に限らず、壁（被覆材）の被覆に用いることもできて、段差部材４、４Ａおよび４Ｃのいずれかの上にコ字状金具を固定し、壁用被覆材の上からコ字状金具の上面に対して固定部材（例えばタッピングネジ）で固定する部被覆用金具とすることができる。また、本体部材３、３Ａ、３Ｂは二つの部材から構成したが、これに限らず、フレームの端部に取り付けられるものであれば、一つの部材から構成してもよい。また、これらに限らず、本体部材３、３Ａ〜３Ｃ、段差部材４、４Ａおよび４Ｃ、被覆材固定部材（例えば吊り子部材６）が全て金属、全てセラミックまたは全て樹脂で構成してもよく、このうちの段差部材４、４Ａおよび４Ｃだけを樹脂製にしてもよいが、強度の観点からは、本体部材３、３Ａ〜３Ｃ、段差部材４、４Ａおよび４Ｃ、被覆材固定部材（例えば吊り子部材６）が全て金属で構成する方がよい。断熱の観点からは、本体部材３、３Ａ〜３Ｃ、段差部材４、４Ａおよび４Ｃ、被覆材固定部材（例えば吊り子部材６）が全て金属で構成する方がよい。要するに、本体部材３、３Ａ〜３Ｃ、段差部材４、４Ａおよび４Ｃ、被覆材固定部材（例えば吊り子部材６）の材料は、金属、セラミックおよび樹脂から適宜選択することができて被覆用具とすることができる。
【００８６】
なお、上記実施形態１，２では、本体部材と段差部材とは互いの回り止めの構成を有していたが、これに限らず、本体部材と段差部材とは互いの回り止めの構成を有していなくてもよい。
【００８７】
なお、上記実施形態１，２では、図４（ａ）〜図４（ｃ）に示すように、第２領域４２の取付孔４２ａの周囲を、段差面４３の直立位置から所定幅領域４２ｂを中間部に含む平面視コ字状に残して薄い平面４１ｃの第１領域４１と同じ厚さの平面４２ｃに形成したが、これに限らず、この平面視コ字状に厚い平面領域（所定幅領域４２ｂを中間部に含む平面視コ字状領域）を設けずに、第２領域４２の全体を厚い領域としてその中央部に取付孔４２ａを設けてもよい。
【００８８】
なお、上記実施形態１，２では、本発明の被覆用具や被覆用金具をケラバ用葺き替え金具やケラバ用葺き替え断熱金具に適用した場合について説明したが、屋根の葺き替えに限らず、屋根や壁の新築にも、本発明の被覆用具や被覆用金具をケラバ用金具やケラバ用断熱金具としてこれに適用することができる。
【００８９】
以上のように、本発明の好ましい実施形態１、２を用いて本発明を例示してきたが、本発明は、この実施形態１、２に限定して解釈されるべきものではない。本発明は、特許請求の範囲によってのみその範囲が解釈されるべきであることが理解される。当業者は、本発明の具体的な好ましい実施形態１、２の記載から、本発明の記載および技術常識に基づいて等価な範囲を実施することができることが理解される。
【産業上の利用可能性】
【００９０】
本発明は、フレームの端部に被覆材を取り付けるために用いられる被覆用具および、例えば屋根のケラバ側でハゼ式折板の二重屋根に葺き替えるのに用いるケラバ用葺き替え金具の分野において、本体部材の下部がフレーム両端の左右対称形状に対応して取り付けられることと、その上の上面部に段差部材の上面段差方向が左右両方向のいずれにも段差部材が取り付けられるため、同一部材で両端部側に対応することができて、施工管理を簡略化でき、部材管理および部材加工管理をも簡略化することができる。
【符号の説明】
【００９１】
１１、１２  ケラバ用葺き替え断熱金具（被覆用金具）
２１、２２  段付き妻フレーム
２１ａ、２２ａ  フレーム斜辺
２１ｂ、２２ｂ  フレーム水平辺
２１ｃ、２２ｃ  段差平面
３、３Ａ〜３Ｂ  本体部材
３１、３１Ａ〜３１Ｃ  第１部材
３１ａ  横方向部
３２、３２Ａ〜３２Ｃ  第２部材
３２ａ  傾斜部
３３  固定部材（ボルトとナット）
３４  固定部材（溶接ボルト）
３５  取付孔
３６、３６Ａ〜３６Ｃ  横部材
３７、３８  回り止め用の側面規制部
３９  幅方向凹部
４、４Ａ、４Ｃ  段差部材
４１  薄い平面側の第１領域
４１ａ，４２ａ  取付孔
４２  厚い側の第２領域
４２ｂ  所定幅領域
４１ｃ、４２ｃ  平面
４３  段差面
４４  所定幅端部
４４Ｃ  幅方向凸部
４５  幅広の溝
５ａ  上屋根（被覆材）
５ｂ  下屋根
６、９  吊子部材
６１  取付面
６２  長孔
６３  垂直面
６４  フック部
６５  支持面
７  中間部分用の葺き替え断熱金具
８  中間部分用の段付きタイトフレーム
Ｅ  ケラバ葺き始め側
Ｆ  ケラバ葺き終わり側
Ｇ  中間部分
Ｃ  中心線
【図１】
2016023464.tif 000003
【図２】
2016023464.tif 000004
【図３】
2016023464.tif 000005
【図４】
2016023464.tif 000006
【図５】
2016023464.tif 000007
【図６】
2016023464.tif 000008
【図７】
2016023464.tif 000009
【図８】
2016023464.tif 000010
【図９】
2016023464.tif 000011
【図１０】
2016023464.tif 000012
【図１１】
2016023464.tif 000013
【図１２】
2016023464.tif 000014